(57)【特許請求の範囲】
【請求項１】
表示部と、
通信部と、
前記通信部を介して受信したメールを前記表示部に表示する制御部と
を有し、
前記制御部は、送信元アドレスが予め定められたアドレスである特定メールを受信した場合には利用に関する所定の制限を実行し、当該特定メールを前記表示部に表示した場合に、前記所定の制限を解除する電子機器。
【請求項２】
表示部と、
通信部と、
前記通信部を介して受信したメールを前記表示部に表示する制御部と
を有し、
前記制御部は、送信元アドレスが予め定められたアドレスである特定メールを受信した場合には利用に関する所定の制限を実行し、当該特定メールを前記表示部に表示した後、所定の条件を満足した場合には、前記所定の制限を解除する電子機器。
【請求項３】
前記制御部は、前記特定メールを前記表示部に表示する際に表示される所定のオブジェクトに対する操作が検出された場合には、前記所定の制限を解除する請求項２に記載の電子機器。
【請求項４】
前記制御部は、前記特定メールを前記表示部に表示した後、当該特定メールに含まれる文字情報をたどる視線の移動を検出した場合には、前記所定の制限を解除する請求項２に記載の電子機器。
【請求項５】
前記制御部は、前記文字情報をたどる視線の移動として、当該文字情報を構成する複数の文字列の配列方向に対応する視線の移動を検出した場合には、前記所定の制限を解除する請求項４に記載の電子機器。
【請求項６】
前記制御部は、前記文字情報を構成する複数の文字列の行数又は列数と同数の視線の移動を検出した場合には、前記所定の制限を解除する請求項５に記載の電子機器。
【請求項７】
前記制御部は、前記特定メールを前記表示部に表示した後、当該特定メールに含まれる文字情報に対する視線の検出が所定時間継続した場合には、前記所定の制限を解除する請求項２に記載の電子機器。
【請求項８】
前記制御部は、前記文字情報の文字数に応じて前記所定時間を決定する請求項７に記載の電子機器。
【請求項９】
表示部と、通信部とを有する電子機器に実行させる制御方法であって、
送信元アドレスが予め定められたアドレスである特定メールを受信した場合には利用に関する所定の制限を実行するステップと、
前記特定メールを表示した場合に、前記所定の制限を解除するステップと
を含む制御方法。
【請求項１０】
表示部と、通信部とを有する電子機器に、
送信元アドレスが予め定められたアドレスである特定メールを受信した場合には利用に関する所定の制限を実行するステップと、
前記特定メールを表示した場合に、前記所定の制限を解除するステップと
を実行させる制御プログラム。
【請求項１１】
表示部と、通信部とを有する電子機器に実行させる制御方法であって、
送信元アドレスが予め定められたアドレスである特定メールを受信した場合には利用に関する所定の制限を実行するステップと、
前記特定メールを表示した後、所定の条件を満足した場合には、前記所定の制限を解除するステップと
を含む制御方法。
【請求項１２】
表示部と、通信部とを有する電子機器に、
送信元アドレスが予め定められたアドレスである特定メールを受信した場合には利用に関する所定の制限を実行するステップと、
前記特定メールを表示した後、所定の条件を満足した場合には、前記所定の制限を解除するステップと
を実行させる制御プログラム。
【発明の詳細な説明】
【技術分野】
【０００１】
本出願は、電子機器、制御方法及び制御プログラムに関する。
【背景技術】
【０００２】
スマートフォン及び携帯電話などの電子機器に搭載される機能として、これらの電子機器に搭載される機能の利用を制限するための機能が知られている（特許文献１参照）。
【先行技術文献】
【特許文献】
【０００３】
【特許文献１】特開２００５−２７７９３０号公報
【発明の概要】
【発明が解決しようとする課題】
【０００４】
上記電子機器では、利用を制限するための操作が必要となる。
【課題を解決するための手段】
【０００５】
１つの態様に係る電子機器は、表示部と、通信部と、前記通信部を介して受信したメールを前記表示部に表示する制御部とを有し、前記制御部は、送信元アドレスが予め定められたアドレスである特定メールを受信した場合には利用に関する所定の制限を実行し、当該特定メールを前記表示部に表示した場合に、前記所定の制限を解除する。
【０００６】
１つの態様に係る電子機器は、表示部と、通信部と、前記通信部を介して受信したメールを前記表示部に表示する制御部とを有し、前記制御部は、送信元アドレスが予め定められたアドレスである特定メールを受信した場合には利用に関する所定の制限を実行し、当該特定メールを前記表示部に表示した後、所定の条件を満足した場合には、前記所定の制限を解除する。
【０００７】
１つの態様に係る制御方法は、表示部と、通信部とを有する電子機器に実行させる制御方法であって、送信元アドレスが予め定められたアドレスである特定メールを受信した場合には利用に関する所定の制限を実行するステップと、前記特定メールを表示した場合に、前記所定の制限を解除するステップとを含む。
【０００８】
１つの態様に係る制御方法は、表示部と、通信部とを有する電子機器に実行させる制御方法であって、送信元アドレスが予め定められたアドレスである特定メールを受信した場合には利用に関する所定の制限を実行するステップと、前記特定メールを表示した後、所定の条件を満足した場合には、前記所定の制限を解除するステップとを含む。
【０００９】
１つの態様に係る制御プログラムは、表示部と、通信部とを有する電子機器に、送信元アドレスが予め定められたアドレスである特定メールを受信した場合には利用に関する所定の制限を実行するステップと、前記特定メールを表示した場合に、前記所定の制限を解除するステップとを実行させる。
【００１０】
１つの態様に係る制御プログラムは、表示部と、通信部とを有する電子機器に、送信元アドレスが予め定められたアドレスである特定メールを受信した場合には利用に関する所定の制限を実行するステップと、前記特定メールを表示した後、所定の条件を満足した場合には、前記所定の制限を解除するステップとを実行させる。
【図面の簡単な説明】
【００１１】
【図１】図１は、実施形態１に係るスマートフォンの機能構成を示すブロック図である。
【図２】図２は、実施形態に係る利用の制限対象の例を示す図である。
【図３】図３は、実施形態に係る利用の制限条件の例を示す図である。
【図４】図４は、実施形態に係る利用に関する制限の設定操作を行うための設定画面の例を示す図である。
【図５】図５は、実施形態１に係るスマートフォンによる処理の流れを示すフローチャートである。
【図６】図６は、実施形態２に係るスマートフォンによる処理を説明するための図である。
【図７】図７は、実施形態２に係るスマートフォンによる処理の流れを示すフローチャートである。
【図８】図８は、実施形態３に係るスマートフォンの機能構成を示すブロック図である。
【図９】図９は、実施形態３に係るスマートフォンによる処理の流れを示すフローチャートである。
【図１０】図１０は、実施形態３に係るスマートフォンによる処理の流れを示すフローチャートである。
【図１１】図１１は、実施形態３に係るスマートフォンによる処理の流れを示すフローチャートである。
【図１２】図１２は、実施形態４に係るスマートフォンによる処理の流れを示すフローチャートである。
【発明を実施するための形態】
【００１２】
本出願に係る電子機器、制御方法及び制御プログラムを実施するための複数の実施形態を、図面を参照しつつ詳細に説明する。以下では、本出願に係る電子機器の一例として、スマートフォンを取り上げて説明する。
【００１３】
（実施形態１）
図１を参照しつつ、実施形態に係るスマートフォン１の機能構成の一例を説明する。図１は、実施形態１に係るスマートフォンの機能構成を示すブロック図である。以下の説明においては、同様の構成要素に同一の符号を付すことがある。さらに、重複する説明は省略することがある。
【００１４】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６とを備える。
【００１５】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。タッチスクリーンディスプレイ２は、表示部の一例である。
【００１６】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１７】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂ（タッチスクリーンディスプレイ２）に接触したときのタッチスクリーン２Ｂ上の位置（以下、接触位置と表記する）を検出することができる。タッチスクリーン２Ｂは、タッチスクリーン２Ｂに対する指の接触を、接触位置とともにコントローラ１０に通知する。タッチスクリーン２Ｂは、接触位置検出部の一例である。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１９】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００２０】
ボタン３は、利用者からの操作入力を受け付ける。ボタン３の数は、単数であっても、複数であってもよい。
【００２１】
照度センサ４は、照度を検出する。照度は、照度センサ４の測定面の単位面積に入射する光束の値である。照度センサ４は、例えば、ディスプレイ２Ａの輝度の調整に用いられる。照度センサ４は、照度検出部の一例である。
【００２２】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａが顔に近づけられたことを検出する。照度センサ４及び近接センサ５は、１つのセンサとして構成されていてもよい。照度センサ４は、近接センサとして用いられてもよい。
【００２３】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２４】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の声等を音信号へ変換してコントローラ１０へ送信する。
【００２５】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２６】
ストレージ９に記憶されるプログラムには、フォアグランド又はバックグランドで実行されるアプリケーションと、アプリケーションの動作を支援する制御プログラム（図示略）とが含まれる。フォアグランドで実行されるアプリケーションは、例えば、ディスプレイ２Ａに画面が表示される。制御プログラムには、例えば、ＯＳが含まれる。アプリケーション及び基本プログラムは、通信ユニット６による無線通信又は非一過的な記憶媒体を介してストレージ９にインストールされてもよい。
【００２７】
ストレージ９は、制御プログラム９Ａ、メールアプリケーション９Ｂ、電話アプリケーション９Ｃ、設定データ９Ｚなどを記憶する。
【００２８】
制御プログラム９Ａは、送信元アドレスが予め定められたアドレスである特定メールを受信した場合には、利用に関する所定の制限を実行するための機能を提供する。制御プログラム９Ａは、特定メールをタッチスクリーンディスプレイ２に表示した場合に、利用に関する所定の制限を解除するための機能を提供する。図２は、実施形態に係る利用の制限対象の例を示す図である。図２に示すように、制御プログラム９Ａによる利用の制限対象には、電話ができる人、メールができる人、アプリケーションの利用、有害サイトへのアクセス、不適切なワードの入力などが含まれている。制御プログラム９Ａによる利用の制限は、条件に基づいて実行してもよい。図３は、実施形態に係る利用の制限条件の例を示す図である。利用を制限する条件には、図３に例を示したように、特定メールの受信に基づく機能制限、制限を行う時間帯、１日の利用可能時間、および通話が可能な総時間が含まれてもよい。図２に示す制限対象の例は、実施形態に係る一例に過ぎず、図２に示す例に限定されない。図３に示す条件の例は、実施形態に係る一例に過ぎず、図３に示す例に限定されない。
【００２９】
制御プログラム９Ａは、利用者に対して制限対象を任意に設定させるための機能を提供する。図４は、実施形態に係る利用に関する制限の設定操作を行うための設定画面の例を示す図である。図４に示すように、制御プログラム９Ａは、利用者の操作に応じて、設定画面５０Ａをタッチスクリーンディスプレイ２に表示する。制御プログラム９Ａは、利用者の操作に応じて、制限対象ごとに設定を受け付ける。
【００３０】
制御プログラム９Ａは、特定メールを受信した場合に、図２に示す全ての対象について制限を実行してもよいし、図２に示す一部の対象について制限を実行してもよい。制御プログラム９Ａは、利用者の設定に基づいて制限を実行してもよい。制御プログラム９Ａは、利用者の設定がない場合に、利用に関する所定の制限の初期設定に基づいて、制限を実行してもよい。
【００３１】
メールアプリケーション９Ｂは、電子メールの作成、送信、受信、及び表示等のための電子メール機能を提供する。電話アプリケーション９Ｃは、無線通信による通話のための通話機能を提供する。
【００３２】
設定データ９Ｚは、制御プログラム９Ａなどにより提供される機能に基づいて実行される処理に用いられる各種データを含んで構成される。設定データ９Ｚには、制御プログラム９Ａが、受信したメールアドレスの中から特定メールを判別するためのアドレスの情報が含まれる。
【００３３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３４】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、及び方位センサ１６を含むが、これらに限定されない。
【００３５】
コントローラ１０は、制御プログラム９Ａを実行することにより、次の処理を実行する。すなわち、コントローラ１０は、送信元アドレスが予め定められたアドレスである特定メールを受信した場合には、利用に関する所定の制限を実行する。コントローラ１０は、特定メールをタッチスクリーンディスプレイ２に表示した場合に、利用に関する所定の制限を解除する。
【００３６】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００３７】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００３８】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３９】
加速度センサ１５は、スマートフォン１に作用する加速度の方向及び大きさを検出する。方位センサ１６は、例えば、地磁気の向きを検出し、地磁気の向きに基づいて、スマートフォン１の向き（方位）を検出する。
【００４０】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信し、受信した電波信号の復調処理を行って、処理後の信号をコントローラ１０に送出する。バイブレータは、スマートフォン１の一部又は全体を振動させる。バイブレータは、振動を発生させるために、例えば、圧電素子、又は偏心モータなどを有する。図１には示していないが、バッテリなど、スマートフォン１の機能を維持するために当然に用いられる機能部はスマートフォン１に実装される。
【００４１】
図５を参照しつつ、実施形態１に係るスマートフォン１による処理の流れを説明する。図５は、実施形態１に係るスマートフォン１による処理の流れを示すフローチャートである。図５に示す処理は、コントローラ１０が、ストレージ９に記憶されている制御プログラム９Ａなどを実行することにより実現される。
【００４２】
図５に示すように、コントローラ１０は、メールを受信したかを判定する（ステップＳ１０１）。
【００４３】
コントローラ１０は、判定の結果、メールを受信した場合には（ステップＳ１０１，Ｙｅｓ）、送信元アドレスが予め定められたアドレスである特定メールであるかを判定する（ステップＳ１０２）。
【００４４】
コントローラ１０は、判定の結果、特定メールである場合には（ステップＳ１０２，Ｙｅｓ）、利用に関する所定の制限を実行する（ステップＳ１０３）。
【００４５】
続いて、コントローラ１０は、特定メールをタッチスクリーンディスプレイ２に表示するかを判定する（ステップＳ１０４）。コントローラ１０は、例えば、利用者から特定メールを表示させる操作を受け付けたかを判定する。
【００４６】
コントローラ１０は、特定メールを表示する場合には（ステップＳ１０４，Ｙｅｓ）、所定の制限を解除し（ステップＳ１０５）、上記ステップＳ１０１の処理手順に戻る。
【００４７】
上記ステップＳ１０４において、コントローラ１０は、判定の結果、特定メールをタッチスクリーンディスプレイ２に表示しない場合には（ステップＳ１０４，Ｎｏ）、同判定を繰り返す。
【００４８】
上記ステップＳ１０２において、コントローラ１０は、判定の結果、特定メールではない場合には（ステップＳ１０２，Ｎｏ）、上記ステップＳ１０１の処理手順に戻る。
【００４９】
上記ステップＳ１０１において、コントローラ１０は、判定の結果、メールを受信していない場合には（ステップＳ１０１，Ｎｏ）、同判定を繰り返す。
【００５０】
上記ステップＳ１０４において、コントローラ１０は、特定メールを表示するかを判定したが、これには限定されない。コントローラ１０は、受信メールが特定メールである場合、自動的に開封して表示させてもよい。
【００５１】
上記の実施形態１では、スマートフォン１が、送信元アドレスが予め定められたアドレスである特定メールを受信した場合には、利用に関する所定の制限を実行する。続いて、スマートフォン１は、特定メールの表示に伴い、利用に関する制限を解除する。すなわち、特定の人から送信されたメールの受信及び表示により、利用の制限に関する操作が自動化され、手動による操作を不要にできる。さらに、実施形態１によれば、スマートフォン１は、特定の人から送信されたメールが受信されてから表示されるまでの間、利用に関する所定の制限が実行されるので、特定の人から送信されたメールを読ませるように利用者に促すことができる。
【００５２】
（実施形態２）
上記の実施形態１において、スマートフォン１は、送信元アドレスが予め定められたアドレスである特定メールを表示した後、所定の条件を満足した場合には、利用に関する所定の制限を解除してもよい。実施形態２に係るスマートフォン１の機能構成は、以下に説明する点が実施形態１とは異なる。
【００５３】
制御プログラム９Ａは、特定メールをタッチスクリーンディスプレイ２に表示した後、特定メールを表示する際に表示される所定のオブジェクトに対する操作が検出された場合には、所定の制限を解除するための機能を提供する。
【００５４】
コントローラ１０は、制御プログラム９Ａを実行することにより、次の処理を実行する。すなわち、コントローラ１０は、特定メールをタッチスクリーンディスプレイ２に表示した後、特定メールを表示する際に表示される所定のオブジェクトに対する操作が検出された場合には、所定の制限を解除する。
【００５５】
図６は、実施形態２に係るスマートフォン１による処理を説明するための図である。図６に示すように、スマートフォン１は、ホーム画面５０Ｂをタッチスクリーンディスプレイ２に表示する（ステップＳ１）。ステップＳ１の時点で、スマートフォン１は、利用に関する所定の制限を実行していない。
【００５６】
スマートフォン１は、メールを受信すると、送信元アドレスが予め定められたアドレスである特定メールであるかを判定する。スマートフォン１は、特定メールである場合、利用に関する所定の制限を実行する。続いて、スマートフォン１は、利用者の操作に応じてメールの本文を表示する画面５０Ｃをタッチスクリーンディスプレイ２に表示する（ステップＳ２）。図６に示す例では、画面５０ＣをスクロールするためのスクロールバーＯＢ１が画面５０Ｃに設けられる。
【００５７】
スマートフォン１は、画面５０Ｃの最下部に表示されるオブジェクトＯＢ２に対する操作を検出した場合には（ステップＳ３）、所定の制限を解除して、再びホーム画面５０Ｂをタッチスクリーンディスプレイ２に表示する（ステップＳ４）。
【００５８】
図７を参照しつつ、実施形態２に係るスマートフォン１による処理の流れを説明する。図７は、実施形態２に係るスマートフォン１による処理の流れを示すフローチャートである。図７に示す処理は、コントローラ１０が、ストレージ９に記憶されている制御プログラム９Ａなどを実行することにより実現される。
【００５９】
図７に示すように、コントローラ１０は、メールを受信したかを判定する（ステップＳ２０１）。
【００６０】
コントローラ１０は、判定の結果、メールを受信した場合には（ステップＳ２０１，Ｙｅｓ）、送信元アドレスが予め定められたアドレスである特定メールであるかを判定する（ステップＳ２０２）。
【００６１】
コントローラ１０は、判定の結果、特定メールである場合には（ステップＳ２０２，Ｙｅｓ）、利用に関する所定の制限を実行する（ステップＳ２０３）。
【００６２】
続いて、コントローラ１０は、特定メールをタッチスクリーンディスプレイ２に表示する（ステップＳ２０４）。
【００６３】
続いて、コントローラ１０は、所定のオブジェクト（図６参照）に対する操作を検出したかを判定する（ステップＳ２０５）。
【００６４】
コントローラ１０は、判定の結果、所定のオブジェクトに対する操作を検出した場合には（ステップＳ２０５，Ｙｅｓ）、所定の制限を解除し（ステップＳ２０６）、上記ステップＳ２０１の処理手順に戻る。
【００６５】
上記ステップＳ２０５において、コントローラ１０は、判定の結果、所定のオブジェクトに対する操作を検出しない場合には（ステップＳ２０５，Ｎｏ）、同判定を繰り返す。
【００６６】
上記ステップＳ２０２において、コントローラ１０は、判定の結果、特定メールではない場合には（ステップＳ２０２，Ｎｏ）、上記ステップＳ２０１の処理手順に戻る。
【００６７】
上記ステップＳ２０１において、コントローラ１０は、判定の結果、メールを受信していない場合には（ステップＳ２０１，Ｎｏ）、同判定を繰り返す。
【００６８】
（実施形態３）
スマートフォン１は、送信元アドレスが予め定められたアドレスである特定メールを表示した後、特定メールに対する利用者の視線を検出することにより、利用に関する所定の制限を解除してもよい。実施形態３に係るスマートフォン１の機能構成は、以下に説明する点が上記の実施形態とは異なる。
【００６９】
図８は、実施形態３に係るスマートフォン１の機能構成を示すブロック図である。図８に示すように、スマートフォン１は、赤外線照射部１７を備える。赤外線照射部１７は、カメラ１２により実行される撮影に同期して赤外線を照射する。
【００７０】
ストレージ９は、視線検出プログラム９Ｄを記憶する。視線検出プログラム９Ｄは、利用者の視線位置の移動を検出するための機能を提供する。なお、視線位置は、利用者の眼球内にある瞳孔の中心位置を起点として直線的に延伸する視線がタッチスクリーンディスプレイ２と交差するときのタッチスクリーンディスプレイ２上の位置に該当する。
【００７１】
視線検出プログラム９Ｄは、次のように、上記視線位置を検出する。すなわち、視線検出プログラム９Ｄは、利用者の画像に対して角膜反射法に基づくアルゴリズムを適用することにより、上記視線位置を検出する。具体的には、視線検出プログラム９Ｄは、利用者の画像を取得する際に、赤外線照射部１３から赤外線を照射させる。視線検出プログラム９Ｄは、取得した利用者の画像から、瞳孔の位置と赤外線の角膜反射の位置をそれぞれ特定する。視線検出プログラム９Ｄは、瞳孔の位置と赤外線の角膜反射の位置の位置関係に基づいて、利用者の視線の方向を特定する。視線検出プログラム９Ｄは、瞳孔の位置が角膜反射の位置よりも目尻側にあれば、視線の方向は目尻側であると判定し、瞳孔の位置が角膜反射の位置よりも目頭側にあれば、視線の方向は目頭側であると判定する。視線検出プログラム９Ｄは、例えば、虹彩の大きさに基づいて、利用者の眼球とタッチスクリーンディスプレイ２との距離を算出する。視線検出プログラム９Ｄは、利用者の視線の方向と、利用者の眼球とタッチスクリーンディスプレイ２との距離とに基づいて、利用者の眼球内にある瞳孔の中心位置から、瞳孔を起点とする視線がタッチスクリーンディスプレイ２と交差するときのタッチスクリーンディスプレイ２上の位置である視線位置を検出する。
【００７２】
視線検出プログラム９Ｄは、上記視線位置の検出を再帰的に実行することにより、利用者の視線の移動を検出する。
【００７３】
上記の例では、視線検出プログラム９Ｄが、角膜反射法を利用した処理を実行することにより、利用者の視線位置を検出する場合を説明したが、この例には限られない。例えば、視線検出プログラム９Ｄが、利用者の画像について画像認識処理を実行することにより、上記視線位置を検出するようにしてもよい。例えば、視線検出プログラム９Ｄは、利用者の画像から、利用者の眼球を含む所定の領域を抽出し、目頭と虹彩との位置関係に基づいて視線方向を特定し、特定した視線方向と、利用者の眼球からタッチスクリーンディスプレイ２までの距離とに基づいて、上記視線位置を検出する。あるいは、視線検出プログラム９Ｄは、利用者がタッチスクリーンディスプレイ２上の表示領域各所を閲覧しているときの複数の眼球の画像を参照画像としてそれぞれ蓄積しておき、参照画像と、判定対象として取得される利用者の眼球の画像とを照合することにより、上記視線位置を検出する。
【００７４】
制御プログラム９Ａは、タッチスクリーンディスプレイ２に特定メールを表示した後、視線検出プログラム９Ｄにより検出された視線の移動に基づいて、特定メールに含まれる文字情報をたどる視線の移動を検出するための機能を提供する。視線検出プログラム９Ｄは、例えば、視線検出プログラム９Ｄにより検出された視線の移動が、特定メールに含まれる文字情報を構成する複数の文字列の配列方向に対応する場合には、当該文字情報をたどる視線の移動として検出する。制御プログラム９Ａは、視線検出プログラム９Ｄにより検出された視線の移動が、特定メールに含まれる文字情報を構成する複数の文字列の行数又は列数と同数である場合には、当該文字情報をたどる視線の移動として検出する。タッチスクリーンディスプレイ２に表示される文字情報には、電子メールに含まれる本文の文字情報、ＳＭＳ（Ｓｈｏｒｔ  Ｍｅｓｓａｇｅ  Ｓｅｒｖｉｃｅ）に含まれる文字情報、ＭＭＳ（Ｍｕｌｔｉｍｅｄｉａ  Ｍｅｓｓａｇｉｎｇ  Ｓｅｒｖｉｃｅ）に含まれる文字情報などが含まれる。
【００７５】
制御プログラム９Ａは、視線検出プログラム９Ｄにより検出される各視線位置を連結して形成される視線の軌跡が、特定メールに含まれる文字情報をたどる際に利用者の視線の移動が形成するパターンに一致するかを判定することにより、文字情報をたどる視線の移動を検出してもよい。
【００７６】
コントローラ１０は、制御プログラム９Ａ及び視線検出プログラム９Ｄを実行することにより、次の処理を実行する。すなわち、コントローラ１０は、タッチスクリーンディスプレイ２に特定メールを表示した後、視線検出プログラム９Ｄにより検出された視線の移動に基づいて、特定メールに含まれる文字情報をたどる視線の移動を検出する。例えば、コントローラ１０は、視線検出プログラム９Ｄにより検出された視線の移動が、特定メールに含まれる文字情報を構成する複数の文字列の配列方向に対応する場合には、当該文字情報をたどる視線の移動として検出する。コントローラ１０は、視線検出プログラム９Ｄにより検出された視線の移動が、特定メールに含まれる文字情報を構成する複数の文字列の行数又は列数と同数である場合には、当該文字情報をたどる視線の移動として検出する。コントローラ１０は、視線検出プログラム９Ｄにより検出される各視線位置を連結して形成される視線の軌跡が、特定メールに含まれる文字情報をたどる際に利用者の視線の移動が形成するパターンに一致するかを判定することにより、文字情報をたどる視線の移動を検出してもよい。
【００７７】
図９〜１１を参照しつつ、実施形態３に係るスマートフォン１による処理の流れを説明する。図９〜１１は、実施形態３に係るスマートフォン１による処理の流れを示すフローチャートである。図９〜１１に示す処理は、コントローラ１０が、ストレージ９に記憶されている制御プログラム９Ａ及び視線検出プログラム９Ｄなどを実行することにより実現される。
【００７８】
図９に示すように、コントローラ１０は、メールを受信したかを判定する（ステップＳ３０１）。
【００７９】
コントローラ１０は、判定の結果、メールを受信した場合には（ステップＳ３０１，Ｙｅｓ）、送信元アドレスが予め定められたアドレスである特定メールであるかを判定する（ステップＳ３０２）。
【００８０】
コントローラ１０は、判定の結果、特定メールである場合には（ステップＳ３０２，Ｙｅｓ）、利用に関する所定の制限を実行する（ステップＳ３０３）。
【００８１】
続いて、コントローラ１０は、特定メールをタッチスクリーンディスプレイ２に表示する（ステップＳ３０４）。
【００８２】
続いて、コントローラ１０は、特定メールに含まれる文字情報をたどる視線の移動を検出したかを判定する（ステップＳ３０５）。
【００８３】
コントローラ１０は、判定の結果、特定メールに含まれる文字情報をたどる視線の移動を検出した場合には（ステップＳ３０５，Ｙｅｓ）、所定の制限を解除し（ステップＳ３０６）、上記ステップＳ３０１の処理手順に戻る。
【００８４】
上記ステップＳ３０５において、コントローラ１０は、判定の結果、特定メールに含まれる文字情報をたどる視線の移動を検出しない場合には（ステップＳ３０５，Ｎｏ）、同判定を繰り返す。
【００８５】
上記ステップＳ３０２において、コントローラ１０は、判定の結果、特定メールではない場合には（ステップＳ３０２，Ｎｏ）、上記ステップＳ３０１の処理手順に戻る。
【００８６】
上記ステップＳ３０１において、コントローラ１０は、判定の結果、メールを受信していない場合には（ステップＳ３０１，Ｎｏ）、同判定を繰り返す。
【００８７】
図１０に示すように、コントローラ１０は、メールを受信したかを判定する（ステップＳ４０１）。
【００８８】
コントローラ１０は、判定の結果、メールを受信した場合には（ステップＳ４０１，Ｙｅｓ）、送信元アドレスが予め定められたアドレスである特定メールであるかを判定する（ステップＳ４０２）。
【００８９】
コントローラ１０は、判定の結果、特定メールである場合には（ステップＳ４０２，Ｙｅｓ）、利用に関する所定の制限を実行する（ステップＳ４０３）。
【００９０】
続いて、コントローラ１０は、特定メールをタッチスクリーンディスプレイ２に表示する（ステップＳ４０４）。
【００９１】
続いて、コントローラ１０は、特定メールに含まれる文字情報を構成する複数の文字列の配列方向に対応する視線の移動を検出したかを判定する（ステップＳ４０５）。
【００９２】
コントローラ１０は、判定の結果、特定メールに含まれる文字情報を構成する複数の文字列の配列方向に対応する視線の移動を検出した場合には（ステップＳ４０５，Ｙｅｓ）、所定の制限を解除し（ステップＳ４０６）、上記ステップＳ４０１の処理手順に戻る。
【００９３】
上記ステップＳ４０５において、コントローラ１０は、判定の結果、特定メールに含まれる文字情報を構成する複数の文字列の配列方向に対応する視線の移動を検出しない場合には（ステップＳ４０５，Ｎｏ）、同判定を繰り返す。
【００９４】
上記ステップＳ４０２において、コントローラ１０は、判定の結果、特定メールではない場合には（ステップＳ４０２，Ｎｏ）、上記ステップＳ４０１の処理手順に戻る。
【００９５】
上記ステップＳ４０１において、コントローラ１０は、判定の結果、メールを受信していない場合には（ステップＳ４０１，Ｎｏ）、同判定を繰り返す。
【００９６】
図１１に示すように、コントローラ１０は、メールを受信したかを判定する（ステップＳ５０１）。
【００９７】
コントローラ１０は、判定の結果、メールを受信した場合には（ステップＳ５０１，Ｙｅｓ）、送信元アドレスが予め定められたアドレスである特定メールであるかを判定する（ステップＳ５０２）。
【００９８】
コントローラ１０は、判定の結果、特定メールである場合には（ステップＳ５０２，Ｙｅｓ）、利用に関する所定の制限を実行する（ステップＳ５０３）。
【００９９】
続いて、コントローラ１０は、特定メールをタッチスクリーンディスプレイ２に表示する（ステップＳ５０４）。
【０１００】
続いて、コントローラ１０は、特定メールに含まれる文字情報を構成する複数の文字列の配列方向に対応する視線の移動を検出したかを判定する（ステップＳ５０５）。
【０１０１】
コントローラ１０は、判定の結果、特定メールに含まれる文字情報を構成する複数の文字列の配列方向に対応する視線の移動を検出した場合には（ステップＳ５０５，Ｙｅｓ）、当該文字列の行数又は列数と同数の視線の移動を検出したかを判定する（ステップＳ５０６）。ステップＳ５０５で検出する視線の移動の回数は、特定メールの文字列の行数又は列数と同じ数でなくてもよい。例えば、この移動の回数は、特定メールの文字列の行数又は列数に応じた回数であればよい。例えば、この移動の回数は、行数又は列数から所定の数を引いた回数、行数又は列数の半分以上の数でもよい。この移動の回数には、上限となる数が設けられていてもよい。
【０１０２】
コントローラ１０は、判定の結果、文字列の行数又は列数と同数の視線の移動を検出した場合には（ステップＳ５０６，Ｙｅｓ）、所定の制限を解除し（ステップＳ５０７）、上記ステップＳ５０１の処理手順に戻る。
【０１０３】
上記ステップＳ５０６において、コントローラ１０は、判定の結果、文字列の行数又は列数と同数の視線の移動を検出していない場合には（ステップＳ５０６，Ｎｏ）、同判定を繰り返す。
【０１０４】
上記ステップＳ５０５において、コントローラ１０は、判定の結果、特定メールに含まれる文字情報を構成する複数の文字列の配列方向に対応する視線の移動を検出していない場合には（ステップＳ５０５，Ｎｏ）、同判定を繰り返す。
【０１０５】
上記ステップＳ５０２において、コントローラ１０は、判定の結果、特定メールではない場合には（ステップＳ５０２，Ｎｏ）、上記ステップＳ５０１の処理手順に戻る。
【０１０６】
上記ステップＳ５０１において、コントローラ１０は、判定の結果、メールを受信していない場合には（ステップＳ５０１，Ｎｏ）、同判定を繰り返す。
【０１０７】
（実施形態４）
スマートフォン１は、送信元アドレスが予め定められたアドレスである特定メールを表示した後、特定メールに含まれる文字情報に対する利用者の視線の検出が所定時間継続することにより、利用に関する所定の制限を解除してもよい。実施形態４に係るスマートフォン１の機能構成は、以下に説明する点が上記の実施形態とは異なる。
【０１０８】
制御プログラム９Ａは、視線検出プログラム９Ｄにより検出される視線位置が、タッチスクリーンディスプレイ２において文字情報が表示されている表示領域内に位置する場合には、文字情報に対する視線として検出するための機能を提供する。視線検出プログラム９Ｄは、上記の実施形態と同様に、特定メールに含まれる文字情報をたどる視線の移動を検出した場合に、文字情報に対する視線として検出してもよい。制御プログラム９Ａは、特定メールに対する利用者の視線の検出が所定時間継続した場合には、所定の制限を解除する。制御プログラム９Ａは、文字情報に含まれる文字数に応じて、利用者の視線の検出が継続する時間を判定するための所定時間を決定する。
【０１０９】
設定データ９Ｚには、制御プログラム９Ａが提供する機能により実行される処理に用いられる所定時間に関するデータが含まれる。
【０１１０】
コントローラ１０は、制御プログラム９Ａ及び視線検出プログラム９Ｄを実行することにより、次の処理を実行する。すなわち、コントローラ１０は、視線検出プログラム９Ｄにより検出される視線位置が、タッチスクリーンディスプレイ２において文字情報が表示されている表示領域内に位置する場合には、文字情報に対する視線として検出する。コントローラ１０は、特定メールに含まれる文字情報をたどる視線の移動を検出した場合に、文字情報に対する視線として検出してもよい。コントローラ１０は、特定メールに対する利用者の視線の検出が所定時間継続した場合には、所定の制限を解除する。
【０１１１】
図１２を参照しつつ、実施形態４に係るスマートフォン１による処理の流れを説明する。図１２は、実施形態４に係るスマートフォン１による処理の流れを示すフローチャートである。図１２に示す処理は、コントローラ１０が、ストレージ９に記憶されている制御プログラム９Ａ及び視線検出プログラム９Ｄなどを実行することにより実現される。
【０１１２】
図１２に示すように、コントローラ１０は、メールを受信したかを判定する（ステップＳ６０１）。
【０１１３】
コントローラ１０は、判定の結果、メールを受信した場合には（ステップＳ６０１，Ｙｅｓ）、送信元アドレスが予め定められたアドレスである特定メールであるかを判定する（ステップＳ６０２）。
【０１１４】
コントローラ１０は、判定の結果、特定メールである場合には（ステップＳ６０２，Ｙｅｓ）、利用に関する所定の制限を実行する（ステップＳ６０３）。
【０１１５】
続いて、コントローラ１０は、特定メールをタッチスクリーンディスプレイ２に表示する（ステップＳ６０４）。
【０１１６】
続いて、コントローラ１０は、特定メールに含まれる文字情報に対する視線の検出が所定時間継続したかを判定する（ステップＳ６０５）。
【０１１７】
コントローラ１０は、判定の結果、特定メールに含まれる文字情報に対する視線の検出が所定時間継続した場合には（ステップＳ６０５，Ｙｅｓ）、所定の制限を解除し（ステップＳ６０６）、上記ステップＳ６０１の処理手順に戻る。
【０１１８】
上記ステップＳ６０５において、コントローラ１０は、判定の結果、特定メールに含まれる文字情報に対する視線の検出が所定時間継続していない場合には（ステップＳ６０５，Ｎｏ）、同判定を繰り返す。
【０１１９】
上記ステップＳ６０２において、コントローラ１０は、判定の結果、特定メールではない場合には（ステップＳ６０２，Ｎｏ）、上記ステップＳ６０１の処理手順に戻る。
【０１２０】
上記ステップＳ６０１において、コントローラ１０は、判定の結果、メールを受信していない場合には（ステップＳ６０１，Ｎｏ）、同判定を繰り返す。
【０１２１】
上記の実施形態において、スマートフォン１は、所定のタイミングで特定メールの送信者に対してメール等により通知してもよい。スマートフォン１は、特定メールが表示されたタイミングで、特定メールの送信者に対して、特定メールが開封された旨をメール等により通知する。スマートフォン１は、利用に関する所定の機能の制限を解除したタイミングで、特定メールの送信者に対して、特定メールが開封された旨をメール等により通知する。
【０１２２】
上記の実施形態では、添付の請求項に係る装置の例として、スマートフォン１について説明したが、添付の請求項に係る装置は、スマートフォン１に限定されない。添付の請求項に係る装置は、電子メール等の送受信が可能な通信機能を備え、電子メール等を表示可能な表示部を有する電子機器であれば、スマートフォン以外の装置であってもよい。
【０１２３】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１２４】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  電話アプリケーション
９Ｄ  視線検出プログラム
９Ｚ  設定データ
１０  コントローラ
１１  スピーカ
１２  カメラ
１３  カメラ
１４  コネクタ
１５  加速度センサ
１６  方位センサ
１７  赤外線照射部
【図１】
0006399944.tif 000002
【図２】
0006399944.tif 000003
【図３】
0006399944.tif 000004
【図４】
0006399944.tif 000005
【図５】
0006399944.tif 000006
【図６】
0006399944.tif 000007
【図７】
0006399944.tif 000008
【図８】
0006399944.tif 000009
【図９】
0006399944.tif 000010
【図１０】
0006399944.tif 000011
【図１１】
0006399944.tif 000012
【図１２】
0006399944.tif 000013